(57)【要約】【課題】フェムトセル及びマクロセルが地理的に重複するエリアにいる移動局ＵＥが、フェムトセルに対してアクセスすることができないにも関わらず、マクロセルにおいて通信を行うことができないという事態に陥ることを回避する。【解決手段】本発明に係るアクセス種別設定装置１は、フェムトセル＃ａのマクロセル＃１１に対する干渉量を算出するように構成されている算出部１２と、かかる干渉量に基づいて、フェムトセル＃ａを管理する無線基地局ＨｅＮＢ＃ａ/ＨＮＢ＃ａに対して設定すべきアクセス種別を決定するように構成されている決定部１３とを具備する。【選択図】図１
2011061614.tif 000002
【特許請求の範囲】
【請求項１】
マクロセル及びフェムトセルが地理的に重複し得るように構成されている移動通信システム内に設けられるアクセス種別設定装置であって、
前記フェムトセルの前記マクロセルに対する干渉量を算出するように構成されている算出部と、
前記干渉量に基づいて、前記フェムトセルを管理する無線基地局に対して設定すべきアクセス種別を決定するように構成されている決定部とを具備することを特徴とするアクセス種別設定装置。
【請求項２】
前記決定部は、前記フェムトセルを管理する無線基地局に対して設定可能なアクセス種別が複数選択された場合、所定端末からの指示に基づいて、該フェムトセルを管理する無線基地局に対して設定すべきアクセス種別を決定するように構成されていることを特徴とする請求項１に記載のアクセス種別設定装置。
【請求項３】
前記算出部は、前記マクロセルに在圏している移動局からの測定報告に基づいて、前記干渉量を算出するように構成されていることを特徴とする請求項１に記載のアクセス種別設定装置。
【請求項４】
マクロセル及びフェムトセルが地理的に重複し得るように構成されており、無線アクセスネットワーク装置を具備する移動通信システムであって、
前記無線アクセスネットワーク装置は、
前記フェムトセルの前記マクロセルに対する干渉量を算出するように構成されている算出部と、
前記干渉量に基づいて、前記フェムトセルを管理する無線基地局に対して設定すべきアクセス種別を決定するように構成されている決定部とを具備することを特徴とする移動通信システム。
【請求項５】
マクロセル及びフェムトセルが地理的に重複し得るように構成されており、コアネットワーク装置を具備する移動通信システムであって、
前記コアネットワーク装置は、
前記フェムトセルの前記マクロセルに対する干渉量を算出するように構成されている算出部と、
前記干渉量に基づいて、前記フェムトセルを管理する無線基地局に対して設定すべきアクセス種別を決定するように構成されている決定部とを具備することを特徴とする移動通信システム。
【請求項６】
マクロセル及びフェムトセルが地理的に重複し得るように構成されており、無線ゲートウェイ装置を具備する移動通信システムであって、
前記無線ゲートウェイ装置は、
前記フェムトセルの前記マクロセルに対する干渉量を算出するように構成されている算出部と、
前記干渉量に基づいて、前記フェムトセルを管理する無線基地局に対して設定すべきアクセス種別を決定するように構成されている決定部とを具備することを特徴とする移動通信システム。
【請求項７】
マクロセル及びフェムトセルが地理的に重複し得るように構成されている移動通信システムであって、
前記フェムトセルを管理する無線基地局は、
前記フェムトセルの前記マクロセルに対する干渉量を算出するように構成されている算出部と、
前記干渉量に基づいて、自身に設定すべきアクセス種別を決定するように構成されている決定部とを具備することを特徴とする移動通信システム。
【請求項８】
マクロセル及びフェムトセルが地理的に重複し得るように構成されている移動通信システムにおいて、フェムトセルを管理する無線基地局に対してアクセス種別を設定するアクセス種別設定方法であって、
前記フェムトセルの前記マクロセルに対する干渉量を算出する工程と、
前記干渉量に基づいて、前記フェムトセルを管理する無線基地局に対して設定すべきアクセス種別を決定する工程とを有することを特徴とするアクセス種別設定方法。
【発明の詳細な説明】
【技術分野】
【０００１】
本発明は、アクセス種別設定装置、移動通信システム及びアクセス種別設定方法に関する。
【背景技術】
【０００２】
従来の移動通信システムにおいて、フェムトセルを管理する無線基地局ＨｅＮＢ（Ｈｏｍｅ  ｅＮＢ）/ＨＮＢ（Ｈｏｍｅ  ＮｏｄｅＢ）は、Ｐｌｕｇ-ａｎｄ-Ｐｌａｙ等の機能を用いて、周辺のマクロセルや他のフェムトセル等との間の干渉を低減するように、使用周波数や使用スクランブリングコード等の無線パラメータを設定することができる。
【０００３】
また、かかる無線基地局ＨｅＮＢ/ＨＮＢは、配下のフェムトセルに登録されている移動局ＵＥ、すなわち、所定のＣＳＧ（Ｃｌｏｓｅｄ  Ｓｕｂｓｃｒｉｂｅｒ  Ｇｒｏｕｐ）に属する移動局ＵＥに対してのみ、独占的或いは優先的に通信サービスを提供することができる。
【先行技術文献】
【非特許文献】
【０００４】
【非特許文献１】３ＧＰＰ  ＴＳ２２.２２０
【非特許文献２】３ＧＰＰ  ＴＳ２５.３３１
【非特許文献３】３ＧＰＰ  ＴＳ２５.３０４
【非特許文献４】３ＧＰＰ  ＴＳ２５.３６７
【発明の概要】
【発明が解決しようとする課題】
【０００５】
しかしながら、かかる移動通信システムにおいて、所定エリアにおいてフェムトセル及びマクロセルが地理的に重複してしまうような環境下では、かかる所定エリアにおいてフェムトセルのＣＳＧに属さない移動局ＵＥは、フェムトセルに対してアクセスすることができないにも関わらず、マクロセルにおいてフェムトセルからの干渉影響により通信を行うことができないという事態に陥ってしまう可能性があるという問題点があった。
【０００６】
そこで、本発明は、上述の課題に鑑みてなされたものであり、フェムトセル及びマクロセルが地理的に重複するエリアにいる移動局ＵＥが、フェムトセルに対してアクセスすることができないにも関わらず、マクロセルにおいて通信を行うことができないという事態に陥ることを回避することができるアクセス種別設定装置、移動通信システム及びアクセス種別設定方法を提供することを目的とする。
【課題を解決するための手段】
【０００７】
本発明の第１の特徴は、マクロセル及びフェムトセルが地理的に重複し得るように構成されている移動通信システム内に設けられるアクセス種別設定装置であって、前記フェムトセルの前記マクロセルに対する干渉量を算出するように構成されている算出部と、前記干渉量に基づいて、前記フェムトセルを管理する無線基地局に対して設定すべきアクセス種別を決定するように構成されている決定部とを具備することを要旨とする。
【０００８】
本発明の第２の特徴は、マクロセル及びフェムトセルが地理的に重複し得るように構成されており、無線アクセスネットワーク装置を具備する移動通信システムであって、前記無線アクセスネットワーク装置は、前記フェムトセルの前記マクロセルに対する干渉量を算出するように構成されている算出部と、前記干渉量に基づいて、前記フェムトセルを管理する無線基地局に対して設定すべきアクセス種別を決定するように構成されている決定部とを具備することを要旨とする。
【０００９】
本発明の第３の特徴は、マクロセル及びフェムトセルが地理的に重複し得るように構成されており、コアネットワーク装置を具備する移動通信システムであって、前記コアネットワーク装置は、前記フェムトセルの前記マクロセルに対する干渉量を算出するように構成されている算出部と、前記干渉量に基づいて、前記フェムトセルを管理する無線基地局に対して設定すべきアクセス種別を決定するように構成されている決定部とを具備することを要旨とする。
【００１０】
本発明の第４の特徴は、マクロセル及びフェムトセルが地理的に重複し得るように構成されており、無線ゲートウェイ装置を具備する移動通信システムであって、前記無線ゲートウェイ装置は、前記フェムトセルの前記マクロセルに対する干渉量を算出するように構成されている算出部と、前記干渉量に基づいて、前記フェムトセルを管理する無線基地局に対して設定すべきアクセス種別を決定するように構成されている決定部とを具備することを要旨とする。
【００１１】
本発明の第５の特徴は、マクロセル及びフェムトセルが地理的に重複し得るように構成されている移動通信システムであって、前記フェムトセルを管理する無線基地局は、前記フェムトセルの前記マクロセルに対する干渉量を算出するように構成されている算出部と、前記干渉量に基づいて、自身に設定すべきアクセス種別を決定するように構成されている決定部とを具備することを要旨とする。
【００１２】
本発明の第６の特徴は、マクロセル及びフェムトセルが地理的に重複し得るように構成されている移動通信システムにおいて、フェムトセルを管理する無線基地局に対してアクセス種別を設定するアクセス種別設定方法であって、前記フェムトセルの前記マクロセルに対する干渉量を算出する工程と、前記干渉量に基づいて、前記フェムトセルを管理する無線基地局に対して設定すべきアクセス種別を決定する工程とを有することを要旨とする。
【発明の効果】
【００１３】
以上説明したように、本発明によれば、フェムトセル及びマクロセルが地理的に重複するエリアにいる移動局ＵＥが、フェムトセルに対してアクセスすることができないにも関わらず、マクロセルにおいて通信を行うことができないという事態に陥ることを回避することができるアクセス種別設定装置、移動通信システム及びアクセス種別設定方法を提供することができる。
【図面の簡単な説明】
【００１４】
【図１】本発明の第１の実施形態に係る移動通信システムの全体構成図である。
【図２】本発明の第１の実施形態に係るアクセス種別設定装置の機能ブロック図である。
【図３】本発明の第１の実施形態に係るアクセス種別設定装置の動作を示すフローチャートである。
【図４】本発明の変更例１に係る移動通信システムの全体構成図である。
【図５】本発明の変更例２に係る移動通信システムの全体構成図である。
【発明を実施するための形態】
【００１５】
（本発明の第１の実施形態に係る移動通信システムの構成）
図１及び図２を参照して、本発明の第１の実施形態に係る移動通信システムの構成について説明する。
【００１６】
本実施形態に係る移動通信システムは、ＬＴＥ（Ｌｏｎｇ  Ｔｅｒｍ  Ｅｖｏｌｕｔｉｏｎ）方式の移動通信システムであって、図１に示すように、交換局ＭＭＥ（Ｍｏｂｉｌｉｔｙ  Ｍａｎａｇｅｍｅｎｔ  Ｅｎｔｉｔｙ）と、無線ゲートウェイ装置ＨｅＮＢ-ＧＷと、マクロセル＃１１乃至＃１４を管理する無線基地局ｅＮＢ＃１と、フェムトセル＃ａを管理する無線基地局ＨｅＮＢ＃ａとを具備している。
【００１７】
ここで、無線基地局ＨｅＮＢ＃ａは、Ｐｌｕｇ-ａｎｄ-Ｐｌａｙ等の機能を用いて、所定タイミングで、無線基地局ＨｅＮＢ＃ａに対して、又は、無線基地局ＨｅＮＢ＃ａ配下の各フェムトセルに対して、アクセス種別（すなわち、アクセスモード）を設定することができるように構成されている。
【００１８】
アクセス種別は、例えば、無線基地局ＨｅＮＢ＃ａ（又は、無線基地局ＨｅＮＢ＃ａ配下のフェムトセル＃ａ等）に対する移動局ＵＥのアクセスとしてどのような形態を許可するかについて規定するＣＳＧのアクセス種別であってもよい。ＣＳＧのアクセス種別としては、「Ｃｌｏｓｅ」、「Ｈｙｂｒｉｄ」或いは「Ｏｐｅｎ」の３種類が設定可能である。
【００１９】
「Ｃｌｏｓｅｄ」は、無線基地局ＨｅＮＢ＃ａ（又は、無線基地局ＨｅＮＢ＃ａ配下のフェムトセル＃ａ等）のＣＳＧに属する移動局ＵＥのみに対してアクセスを許可するアクセス種別であり、「Ｈｙｂｒｉｄ」は、無線基地局ＨｅＮＢ＃ａ（又は、無線基地局ＨｅＮＢ＃ａ配下のフェムトセル＃ａ等）のＣＳＧに属する移動局ＵＥに対しては高品質の通信を許可し、それ以外の移動局ＵＥに対してはベストエフォート品質の通信（アクセス）を許可するといったサービス的な差をつけるアクセス種別であり、「Ｏｐｅｎ」は、マクロセルと同様に、全ての移動局ＵＥに対してアクセスを許可するアクセス種別である。
【００２０】
また、アクセス種別は、「ＡＣＣＥＳＳ  ＣＬＡＳＳ  ＢＡＲＲＥＤ」や「ＣＥＬＬ  ＢＡＲＲＥＤ」といった規制のアクセス種別であってもよい。
【００２１】
本実施形態に係る移動通信システム内には、かかる無線基地局ＨｅＮＢ＃ａ（又は、無線基地局ＨｅＮＢ＃ａ配下のフェムトセル＃ａ等）に対して、かかるアクセス種別を設定することができるアクセス種別設定装置１が設けられている。
【００２２】
なお、かかるアクセス種別設定装置１は、無線基地局ｅＮＢ＃１等の無線アクセスネットワーク装置内に設けられていてもよいし、交換局ＭＭＥ等のコアネットワーク内に設けられていてもよいし、無線ゲートウェイ装置ＨｅＮＢ-ＧＷ内に設けられていてもよいし、無線基地局ＨｅＮＢ＃ａ内に設けられていてもよい。
【００２３】
図２に示すように、アクセス種別設定装置１は、観測部１１Ａと、受信部１１Ｂと、算出部１２と、決定部１３と、通知部１４とを具備している。
【００２４】
観測部１１Ａは、周辺のマクロセルや他のフェムトセル等における無線品質を観測するように構成されている。
【００２５】
受信部１１Ｂは、周辺の無線基地局ＨｅＮＢ/ｅＮＢから、周辺のマクロセルや他のフェムトセル等における無線品質を示す「Ｄｅｄｉｃａｔｅｄ  Ｍｅａｓｕｒｅｍｅｎｔ（測定報告）」を受信したり、周辺のマクロセルや他のフェムトセルに在圏している１つ又は複数の移動局ＵＥから、「Ｍｅａｓｕｒｅｍｅｎｔ  Ｒｅｐｏｒｔ（測定報告）」を受信したりするように構成されている。
【００２６】
算出部１２は、観測部１１Ａによって観測された無線品質や、受信部１１Ｂによって受信された測定報告に含まれる無線品質等に基づいて、フェムトセル＃ａの他のマクロセル（例えば、マクロセル＃１１）に対する干渉量を算出するように構成されている。
【００２７】
決定部１３は、算出部１２によって算出された干渉量に基づいて、フェムトセル＃ａを管理する無線基地局ＨｅＮＢ＃ａ（又は、フェムトセル＃ａ）に対して設定すべきアクセス種別（Ｃｌｏｓｅ/Ｈｙｂｒｉｄ/Ｏｐｅｎ）を決定し、所定タイミングで（無線基地局ＨｅＮＢの起動時に、定期的に、或いは、所定トリガが検出された際に）、かかるアクセス種別を設定するように構成されている。
【００２８】
図１の例では、フェムトセル＃ａ及びマクロセル＃１１が、地理的に一部で重複している。かかる環境において、移動局ＵＥ＃１が、アクセス種別として「Ｃｌｏｓｅ」が設定されている無線基地局ＨｅＮＢ＃ａ配下のフェムトセル＃ａにおいて通信を行っている場合、移動局ＵＥ＃２は、フェムトセル＃ａからの干渉の影響を受け、マクロセル＃１１において通信を行うことができなくなる可能性がある。
【００２９】
したがって、例えば、決定部１３は、フェムトセル＃ａの他のマクロセル（例えば、マクロセル＃１１）に対する干渉量が所定干渉量を超える場合、無線基地局ＨｅＮＢ＃ａ（又は、フェムトセル＃ａ）のアクセス種別を「Ｏｐｅｎ」又は「Ｈｙｂｒｉｄ」とするように決定してもよい。
【００３０】
一方、決定部１３は、フェムトセル＃ａの他のマクロセル（例えば、マクロセル＃１１）に対する干渉量が所定干渉量を超えない場合には、無線基地局ＨｅＮＢ＃ａ（又は、フェムトセル＃ａ）のアクセス種別を「Ｏｐｅｎ」、「Ｈｙｂｒｉｄ」又は「Ｃｌｏｓｅ」のいずれとしてもよいと決定してもよい。
【００３１】
なお、決定部１３は、フェムトセル＃ａを管理する無線基地局ＨｅＮＢ＃ａに対して設定可能なアクセス種別が複数選択された場合（例えば、「Ｏｐｅｎ」又は「Ｈｙｂｒｉｄ」が選択された場合）、所定端末（例えば、無線基地局ＨｅＮＢ＃ａ/ＨＮＢ＃ａの所有者の移動局ＵＥ）からの指示に基づいて、無線基地局ＨｅＮＢ＃ａに対して設定すべきアクセス種別を決定するように構成されていてもよい。
【００３２】
通知部１４は、フェムトセル＃ａを管理する無線基地局ＨｅＮＢ＃ａに対して設定可能なアクセス種別が複数選択された場合、所定端末（例えば、無線基地局ＨｅＮＢ＃ａ/ＨＮＢ＃ａの所有者の移動局ＵＥ）に対して、その旨を通知し、指示を仰ぐように構成されている。
【００３３】
ここで、通知部１４は、所定端末に対して、電子メールやＳＭＳ（Ｓｈｏｒｔ  Ｍｅｓｓａｇｅ  Ｓｅｒｖｉｃｅ）メッセージや音声通話や個別制御信号や報知情報等を送信することによって、上述の通知を行ってもよいし、無線基地局ＨｅＮＢのディスプレイ上に表示することによって、上述の通知を行ってもよいし、無線基地局ＨｅＮＢにおける音声出力や光出力等によって、上述の通知を行ってもよいし、所定のＷｅｂページ上に表示することによって、上述の通知を行ってもよい。
【００３４】
（本発明の第１の実施形態に係る移動通信システムの動作）
図３を参照して、本発明の第１の実施形態に係る移動通信システムの動作について、具体的には、本発明の第１の実施形態に係るアクセス種別設定装置１の動作について説明する。
【００３５】
図３に示すように、ステップＳ１０１において、アクセス種別設定装置１は、フェムトセル＃ａのマクロセル＃１１に対する干渉量を算出する。
【００３６】
ステップＳ１０２において、アクセス種別設定装置１は、算出した干渉量に基づいて、無線基地局ＨｅＮＢ＃ａ（又は、フェムトセル＃ａ）に対して設定すべきアクセス種別（例えば、Ｃｌｏｓｅ/Ｈｙｂｒｉｄ/Ｏｐｅｎ）を決定する。
【００３７】
ステップＳ１０３において、アクセス種別設定装置１は、所定タイミングで、無線基地局ＨｅＮＢ＃ａに対して、決定されたアクセス種別を設定する。
【００３８】
（本発明の第１の実施形態に係る移動通信システムの作用・効果）
本発明の第１の実施形態に係る移動通信システムによれば、フェムトセル＃ａのマクロセル＃１１に対する干渉量が所定干渉量を超える場合、無線基地局ＨｅＮＢ＃ａ（又は、フェムトセル＃ａ）のアクセス種別を「Ｏｐｅｎ」又は「Ｈｙｂｒｉｄ」とすることによって、フェムトセル＃ａ及びマクロセル＃１１が地理的に重複するエリアにいる移動局ＵＥは、フェムトセル＃ａからの干渉の影響でマクロセル＃１１において通信を行うことができない場合であっても、フェムトセル＃ａにおいて通信を行うことができるようになる。
【００３９】
（変更例１）
図４を参照して、上述の第１の実施形態に係る移動通信システムの変更例１について説明する。以下、本変更例１に係る移動通信システムについて、上述の第１の実施形態に係る移動通信システムとの相違点に着目して説明する。
【００４０】
本変更例１に係る移動通信システムは、ＷＣＤＭＡ方式の移動通信システムであって、図４に示すように、交換局ＭＳＣ/ＳＧＳＮと、無線ゲートウェイ装置ＨＮＢ-ＧＷと、マクロセル＃１１乃至＃１４を管理する無線基地局ＮＢ＃１と、フェムトセル＃ａを管理する無線基地局ＨＮＢ＃ａとを具備している。
【００４１】
本変更例１に係る移動通信システムでは、上述のアクセス種別設定装置１は、無線基地局ＮＢ＃１や無線回線制御局ＲＮＣ等の無線アクセスネットワーク装置内に設けられていてもよいし、交換局ＭＳＣ/ＳＧＳＮ等のコアネットワーク内に設けられていてもよいし、無線ゲートウェイ装置ＨＮＢ-ＧＷ内に設けられていてもよいし、無線基地局ＨＮＢ＃ａ内に設けられていてもよい。
【００４２】
（変更例２）
図５を参照して、上述の第１の実施形態に係る移動通信システムの変更例２について説明する。以下、本変更例２に係る移動通信システムについて、上述の第１の実施形態に係る移動通信システムとの相違点に着目して説明する。
【００４３】
本変更例２に係る移動通信システムは、ＬＴＥ方式の移動通信システムであって、図５に示すように、ＩＭＳ（ＩＰ  Ｍｕｌｔｉｍｅｄｉａ  Ｓｕｂｓｙｓｔｅｍ）と、交換局ＭＭＥと、無線ゲートウェイ装置ＨｅＮＢ-ＧＷと、マクロセル＃１１乃至＃１４を管理する無線基地局ｅＮＢ＃１と、フェムトセル＃ａを管理する無線基地局ＨｅＮＢ＃ａとを具備している。
【００４４】
本変更例２に係る移動通信システムでは、上述のアクセス種別設定装置１は、無線基地局ｅＮＢ＃１等の無線アクセスネットワーク装置内に設けられていてもよいし、ＩＭＳ内の装置や交換局ＭＳＣ/ＳＧＳＮ等のコアネットワーク内に設けられていてもよいし、無線ゲートウェイ装置ＨｅＮＢ-ＧＷ内に設けられていてもよいし、無線基地局ＨｅＮＢ＃ａ内に設けられていてもよい。
【００４５】
以上に述べた本実施形態の特徴は、以下のように表現されていてもよい。
【００４６】
本実施形態の第１の特徴は、マクロセル＃１１及びフェムトセル＃ａが地理的に重複し得るように構成されている移動通信システム内に設けられるアクセス種別設定装置１であって、フェムトセル＃ａのマクロセル＃１１に対する干渉量を算出するように構成されている算出部１２と、算出部１２によって算出された干渉量に基づいて、フェムトセル＃ａを管理する無線基地局ＨｅＮＢ＃ａ/ＨＮＢ＃ａに対して設定すべきアクセス種別（Ｃｌｏｓｅ/Ｈｙｂｒｉｄ/Ｏｐｅｎ）を決定するように構成されている決定部１３とを具備することを要旨とする。
【００４７】
本実施形態の第１の特徴において、決定部１３は、フェムトセル＃ａを管理する無線基地局ＨｅＮＢ＃ａ/ＨＮＢ＃ａに対して設定可能なアクセス種別が複数選択された場合、所定端末（例えば、無線基地局ＨｅＮＢ＃ａ/ＨＮＢ＃ａの所有者の移動局ＵＥ）からの指示に基づいて、無線基地局ＨｅＮＢ＃ａに対して設定すべきアクセス種別を決定するように構成されていてもよい。
【００４８】
本実施形態の第１の特徴において、算出部１２は、マクロセル＃１１に在圏している移動局ＵＥからの「Ｍｅａｓｕｒｅｍｅｎｔ  Ｒｅｐｏｒｔ（測定報告）」に基づいて、上述の干渉量を算出するように構成されていてもよいし、マクロセル＃１１を管理する無線基地局ｅＮＢ＃１からの「Ｄｅｄｉｃａｔｅｄ  Ｍｅａｓｕｒｅｍｅｎｔ（測定報告）」に基づいて、上述の干渉量を算出するように構成されていてもよい。
【００４９】
本実施形態の第２の特徴は、マクロセル＃１１及びフェムトセル＃ａが地理的に重複し得るように構成されており、無線アクセスネットワーク装置（例えば、無線基地局ｅＮＢ/ＮＢや無線回線制御局ＲＮＣ等）を具備する移動通信システムであって、かかる無線アクセスネットワーク装置は、フェムトセル＃ａのマクロセル＃１１に対する干渉量を算出するように構成されている算出部１２と、算出部１２によって算出された干渉量に基づいて、フェムトセル＃ａを管理する無線基地局ＨｅＮＢ＃ａ/ＨＮＢ＃ａに対して設定すべきアクセス種別を決定するように構成されている決定部１３とを具備することを要旨とする。
【００５０】
本実施形態の第３の特徴は、マクロセル＃１１及びフェムトセル＃ａが地理的に重複し得るように構成されており、コアネットワーク装置（例えば、交換局ＭＭＥ/ＭＳＣ/ＳＧＳＮ等）を具備する移動通信システムであって、かかる無線アクセスネットワーク装置は、フェムトセル＃ａのマクロセル＃１１に対する干渉量を算出するように構成されている算出部１２と、算出部１２によって算出された干渉量に基づいて、フェムトセル＃ａを管理する無線基地局ＨｅＮＢ＃ａ/ＨＮＢ＃ａに対して設定すべきアクセス種別を決定するように構成されている決定部１３とを具備することを要旨とする。
【００５１】
本実施形態の第４の特徴は、マクロセル＃１１及びフェムトセル＃ａが地理的に重複し得るように構成されており、無線ゲートウェイ装置ＨｅＮＢ-ＧＷ/ＨＮＢ-ＧＷを具備する移動通信システムであって、かかる無線ゲートウェイ装置ＨｅＮＢ-ＧＷ/ＨＮＢ-ＧＷは、フェムトセル＃ａのマクロセル＃１１に対する干渉量を算出するように構成されている算出部１２と、算出部１２によって算出された干渉量に基づいて、フェムトセル＃ａを管理する無線基地局ＨｅＮＢ＃ａ/ＨＮＢ＃ａに対して設定すべきアクセス種別を決定するように構成されている決定部１３とを具備することを要旨とする。
【００５２】
本実施形態の第５の特徴は、マクロセル＃１１及びフェムトセル＃ａが地理的に重複し得るように構成されている移動通信システムであって、フェムトセル＃ａを管理する無線基地局ＨｅＮＢ＃ａ／ＨＮＢ＃ａは、フェムトセル＃ａのマクロセル＃１１に対する干渉量を算出するように構成されている算出部１２と、算出部１２によって算出された干渉量に基づいて、自身に設定すべきアクセス種別を決定するように構成されている決定部１３とを具備することを要旨とする。
【００５３】
本発明の第２乃至第５の特徴において、決定部１３は、上述のアクセス種別として、ＣＳＧのアクセス種別（Ｃｌｏｓｅ/Ｈｙｂｒｉｄ/Ｏｐｅｎ）を決定してもよいし、規制のアクセス種別（ＡＣＣＥＳＳ  ＣＬＡＳＳ  ＢＡＲＲＥＤ/ＣＥＬＬ  ＢＡＲＲＥＤ）を決定するよう構成されていてもよい。
【００５４】
本実施形態の第６の特徴は、マクロセル＃１１及びフェムトセル＃ａが地理的に重複し得るように構成されている移動通信システムにおいて、フェムトセル＃ａを管理する無線基地局ＨｅＮＢ＃ａ/ＨＮＢ＃ａに対してアクセス種別（Ｃｌｏｓｅ/Ｈｙｂｒｉｄ/Ｏｐｅｎ）を設定するアクセス種別設定方法であって、フェムトセル＃ａのマクロセル＃１１に対する干渉量を算出する工程と、かかる干渉量に基づいて、フェムトセル＃ａを管理する無線基地局ＨｅＮＢ＃ａ/ＨＮＢ＃ａに対して設定すべきアクセス種別（Ｃｌｏｓｅ/Ｈｙｂｒｉｄ/Ｏｐｅｎ）を決定する工程とを有することを要旨とする。
【００５５】
なお、上述のアクセス種別設定装置１の動作は、ハードウェアによって実施されてもよいし、プロセッサによって実行されるソフトウェアモジュールによって実施されてもよいし、両者の組み合わせによって実施されてもよい。
【００５６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、アクセス種別設定装置１内に設けられていてもよい。また、かかる記憶媒体及びプロセッサは、ディスクリートコンポーネントとしてアクセス種別設定装置１内に設けられていてもよい。
【００５８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００５９】
１…アクセス種別設定装置
１１Ａ…観測部
１１Ｂ…受信部
１２…算出部
１３…決定部
１４…通知部
１５…設定部
【図１】
2011061614.tif 000003
【図２】
2011061614.tif 000004
【図３】
2011061614.tif 000005
【図４】
2011061614.tif 000006
【図５】
2011061614.tif 000007